(57)【要約】【課題】違和感なく棺に配置でき、脱臭作用と燃焼補助作用をもたらす棺用葬祭具を提供すること。【解決手段】  底面の長辺または長径に比して高さ方向の長さが長い可燃性素材からなる有底中空柱状の容器部１１と、容器部１１上部を覆う可燃性素材からなる屋根部１２と、を有する棺用葬祭具であって、容器部１１側面には、高さ方向に長手の窓孔１１３が複数設けられており、容器部１１内に黒炭、白炭、オガ炭、竹炭、その他の炭チップ２１を詰め、窓孔１１３と炭チップ２１との間には、通気性を有しつつ木炭の外部への漏出を防ぐ可燃性素材からなる不織布が配されていることを特徴とする棺用葬祭具１。【選択図】図２
2016202736.tif 000002
【特許請求の範囲】
【請求項１】
底面の長辺または長径に比して高さ方向の長さが長い可燃性素材からなる有底中空柱状の容器部と、容器部上部を覆う可燃性素材からなる屋根部と、を有する棺用葬祭具であって、
容器部側面には、高さ方向に長手の窓孔が複数設けられており、
容器部内に黒炭、白炭、オガ炭、竹炭、その他の木炭を詰め、
窓孔と木炭との間には、通気性を有しつつ木炭の外部への漏出を防ぐ可燃性素材からなるシート体が配されていることを特徴とする棺用葬祭具。
【請求項２】
木炭をシート体の袋に封入し、これを容器部に挿入したことを特徴とする請求項１に記載の棺用葬祭用具。
【請求項３】
容器部と屋根部は、高さ方向を軸とした回転対象形であり、
屋根部の軸部分に容器部内に連通した挿花兼通気用孔を設けたことを特徴とする請求項１または２に記載の棺用葬祭具。
【請求項４】
屋根部自体を花冠の下支え用の台座として形成した、または、屋根部上部に花冠の下支え用の台座を設けたことを特徴とする請求項１、２または３に記載の棺用葬祭具。
【発明の詳細な説明】
【技術分野】
【０００１】
本発明は、棺に入れる葬祭用具（納棺用品）に関し、特に、脱臭作用と燃焼補助作用をもたらし、棺に入れても違和感のない棺用葬祭具に関する。
【背景技術】
【０００２】
従来、人が亡くなり火葬等の荼毘に付すまで、遺体は一定期間棺に入れられる。ここで、遺体からは多かれ少なかれ臭いが散逸し、特に夏場はその傾向が大きい。従来は、棺の最下層に番茶葉を敷くなどして消臭がおこなわれていた。また、ドライアイスを敷き、臭気の発生を抑制するなどしていた。
【０００３】
しかしながら、従来の技術では以下の問題点があった。
ドライアイスは、マンションのような気密性の高い施設や姿勢の低い嬰児や乳幼児のようないる場所では二酸化炭素中毒を懸念して使いづらいという問題点もあった。また、火葬までの時間が長い場合には幾度も継ぎ足しが必要であり、部外者が遺体を何度となく触り動かすことを嫌う遺族や親族もいるという問題点もあった。また、番茶葉の防臭効果は必ずしも十分ではないという問題点もあった。
【先行技術文献】
【特許文献】
【０００４】
【特許文献１】特開２０１２−２１７７０７
【特許文献２】特開２００５−２３７９２９
【特許文献３】特開２００１−３５３１９１
【特許文献４】特開平０７−２７５３３７
【発明の概要】
【発明が解決しようとする課題】
【０００５】
本発明は上記に鑑みてなされたものであって、違和感なく棺に配置でき、脱臭作用と燃焼補助作用をもたらす棺用葬祭具を提供することを目的とする。
【課題を解決するための手段】
【０００６】
請求項１に記載の棺用葬祭具は、底面の長辺または長径に比して高さ方向の長さが長い可燃性素材からなる有底中空柱状の容器部と、容器部上部を覆う可燃性素材からなる屋根部と、を有する棺用葬祭具であって、容器部側面には、高さ方向に長手の窓孔が複数設けられており、容器部内に黒炭、白炭、オガ炭、竹炭、その他の木炭を詰め、窓孔と木炭との間には、通気性を有しつつ木炭の外部への漏出を防ぐ可燃性素材からなるシート体が配されていることを特徴とする。
【０００７】
すなわち、請求項１にかかる発明は、屋根部の存在によりお堂や聖堂のような外形を演出でき、棺との親和性を高めることが可能であって、かつ、棺の上層に漂いやすい臭気も下層に停留しやすい臭気も、縦長の窓孔を介して脱臭でき、かつ、火葬に際しても古来ある炭であるので遺族の心理的抵抗なくそのまま存置し燃焼補助材として利用することができる。
また、全体がいわゆる縦長であるので、花を棺に挿し入れたり、請求項３にいうように筐体自体に挿し入れたりする際に、事実上嵩張らず、この点からも棺との親和性が高い。また、縦長筐体に縦長の窓孔を設けるので上述のとおり、どの高さに漂う臭気も効率よく脱臭可能となる。
【０００８】
容器部や屋根部の可燃性素材としては、厚紙や木板を挙げることができる。
屋根部は、錐形を形成する例を挙げることができる。丸みを帯びた錐形であっても良い。屋根部は、容器部と別体として容器部に被せる態様であっても良く、また、容器部の側面が延伸して上部で錐形を形成する一体的な態様であってもよい。庇が設けられた態様としてもよい。
長手の窓孔は、スリットを含み、広く、丸窓が長手方向に並んでいるような、全体として長手を形成する態様も含まれるものとする。
木炭は、チップ状に所定粒度に砕かれているのが好ましい。
シート体は和紙、不織布、メッシュ地の例を挙げることができる。
なお、棺用葬祭用具の高さとしては、１５ｃｍ〜３０ｃｍとすることができる。
また、側面や屋根部には、仏式、神式、キリスト教式など、宗教観を示す模様を付すことができる。
【０００９】
請求項２に記載の棺用葬祭具は、請求項１に記載の棺用葬祭用具において、木炭をシート体の袋に封入し、これを容器部に挿入したことを特徴とする。
【００１０】
すなわち、請求項２にかかる発明は、製造性、組み立て性に優れ、また、挿入数を調整して、木炭の量を簡便に変更することも可能となる。
【００１１】
袋は一つに限定されず、棒状といえるような形状のものを、たとえば、３つ挿入するようにしてもよい。これにより、花を挿し入れ易くなる。
【００１２】
請求項３に記載の棺用葬祭具は、請求項１または２に記載の棺用葬祭具において、容器部と屋根部は、高さ方向を軸とした回転対象形であり、屋根部の軸部分に容器部内に連通した挿花兼通気用孔を設けたことを特徴とする。
【００１３】
すなわち、請求項３にかかる発明は、宗教・宗派の如何にかかわらず葬祭になじみやすく、かつ、棺の中に入れられる他の花とも良好に調和する棺用葬祭具を提供することができる。
【００１４】
なお、花とは生花でも造花でもよい。孔は、花の茎の太さ程度、すなわち、直径０．５ｃｍ〜２ｃｍ程度とすることが好ましい。
【００１５】
請求項４に記載の棺用葬祭具は、請求項１、２または３に記載の棺用葬祭具において、屋根部自体を花冠の下支え用の台座として形成した、または、屋根部上部に花冠の下支え用の台座を設けたことを特徴とする。
【００１６】
すなわち、請求項４にかかる発明は、花のすわりがよく、棺内の装飾性を良好に高める。
【００１７】
なお、棺用葬祭具は、棺の中で、たとえば、頭の両脇、両手脇、両足下など対称的に配することにより、装飾性がよくなるだけでなく脱臭も均質的に作用する。
【発明の効果】
【００１８】
本発明によれば、違和感なく棺に配置でき、脱臭作用と燃焼補助作用をもたらす棺用葬祭具を提供することができる。
【図面の簡単な説明】
【００１９】
【図１】本発明の棺用葬祭具の外観図である。
【図２】本発明の棺用葬祭具の断面図である。ここでは、炭袋の一部が切断された様子を描画した。
【図３】本発明の棺用葬祭具に花を挿して棺に入れた使用状態概念図である。なお、他の花の描画は省略している。
【図４】側面の模様の例である。
【図５】棺用葬祭具の別の構成例を示した説明図である。
【発明を実施するための形態】
【００２０】
以下、本発明の実施の形態を図面を参照しながら詳細に説明する。図１は、本発明の棺用葬祭具の外観図である。図２は、本発明の棺用葬祭具の断面図である。図３は、本発明の棺用葬祭具を棺に入れた使用状態概念図である。なお、説明の便宜上、縮尺は必ずしも各図間で同一でなく、要素を適宜省略して描画している。
【００２１】
棺用葬祭具１は、筐体１０と、筐体１０内に挿入された炭袋２０と、を基本構成としている。
【００２２】
筐体１０は、更に、容器部１１と、屋根部１２とからなる。
容器部１１は、厚みのある紙製で、六角柱を形成する側面１１１を有し、その底面１１２は正六角形である。この側面１１１の長さ（高さ）は、底面１１２の長径より長く、棺用葬祭具１は縦長基調となっている。
【００２３】
側面１１１はそのまま上方に延伸しており、６枚の二等辺三角形基調の紙片がその両隣の二辺を互いに接合させて、略六角錐の屋根部１２を形成している。以降では、説明の便宜上この屋根部１２を構成する側面を側面１２１と称する。
【００２４】
筐体１０表面すなわち側面１１１および側面１２１の表面には、図４に示したように、宗教や宗派にマッチした模様が描かれている。これにより、宗教や宗派に沿った、違和感のない棺用葬祭具１を演出できる。加えて、筐体１０は、６０°回転対象形でもあるため、無地であっても模様があっても格調高く、納棺用品として違和感なく棺に入れることができる。
【００２５】
容器部１１の側面１１１には、ほぼ側面高さの長辺を有する縦長の窓孔１１３が空けられている。この窓孔１１３を介して炭袋２０により脱臭がおこなわれる。縦長の窓孔１１３であるので、棺内の臭気がどの高さに停留していても、効率よい脱臭が可能となる。
【００２６】
屋根部１２の側面１２１の先端はいずれも緩やかに外側に反り返り、全体でクッション性を有する支台部１２２を形成している。支台部１２２の中央には、容器部１１の内側と連通する孔１２３が形成される。この孔１２３を利用して花の茎を挿し入れ支台部１２２により花冠を下支えする。したがって、花挿台としても棺用葬祭具１を演出でき、違和感なく棺に収めることができる。特に、図３に示したように、遺体に沿って８箇所対称的に配し、かつ、他所と色味や大きさの異なる花を配することにより、特別な花用の台として演出できる。なお、孔１２３に花を差し込まない場合であっても、この孔を介して棺上層の脱臭が可能となる。
【００２７】
なお、本実施の形態では、底面１１２の長径は１０ｃｍ、容器部１１の高さは１５ｃｍ、屋根部の高さは７ｃｍとしている（全高２２ｃｍ）。
【００２８】
炭袋２０は、炭チップ２１を封入した不織布袋２２である。
炭チップ２１を形成する木材原料は特に限定されないが、コウヤマキ、カシ、クヌギなどを挙げることができる。チップの粒径は長径が５ｍｍ〜２ｃｍ程度のものが５０ｖｏｌ％以上占めるものとする。
【００２９】
炭チップ２１を用いるのは、第一に脱臭作用のためであり、第二に燃焼補助のためである。脱臭作用を発揮させるためには、炭の多孔質を利用する必要があるが、炭が大きいと内部の多孔質の利用効率が悪い。そこで、炭を上記の大きさにチップ化し、外気との接触面積を大きくして内部の多孔質の効率的な利用を図っている。
また、棺を火葬に回す場合に炭チップ２１は燃焼補助作用も発揮する。このとき、炭をチップ化しているので燃え残りが生じず、火葬時間に影響を与えない。
また、チップの粒径が上記の大きさに調整されているので袋詰めの作業性も高まる。
なお、粉炭状の微粒は不織布袋２２から漏出し、棺を汚す可能性があるので、予め篩にかけておき、所定粒度以上のものを用いるようにする。
【００３０】
不織布袋２２の原料は特に限定されないが、汎用されるポリアミド系合成繊維繊維やポリエステル繊維を用いることができる。不織布を用いることにより、通気性を確保し、内包する炭チップ２１の脱臭作用が十全に発揮される。
【００３１】
なお、不織布袋は約７ｃｍ×１６ｃｍの二枚の不織布を縫い合わせて袋としたものであり、形状変化を容易とするため、炭チップ２１は満杯に詰めず余裕を持たせた充填量としている。本実施の形態では、筐体１０に炭袋２０を２つ挿し入れる態様としている。容器部１１の大きさ程度の一つの炭袋としてしまうと花の茎がつかえてしまうこともあるが、炭袋２０は、上記の大きさとして二つに分けているので花の挿し入れが容易となる。
【００３２】
棺用葬祭具１は以上であるので、形状的観点からも、機能的観点からも、棺との親和性が高く好適である。
【００３３】
なお、棺用葬祭具は、以上の構成に限定されない。図５は、棺用葬祭具の別の構成例を示した説明図である。図示したように、棺用葬祭具１’は、容器部１１と屋根部１２が別体となっている。また、屋根部１２は平面視において六角形であるが、その大きさは底面１１２の六角形より大きく、容器部１１への取付けにより庇が形成される。これにより、お堂の様相を呈し、仏式の葬儀ないし棺に好適に用いることができる。
【００３４】
また、棺用葬祭具１’では、窓孔１１３が円形であり、高さ方向に３つ設けてあり、不織布２２１が側面１１１の裏に直接張り付けてあり、炭チップ２１は容器部１１に直接入れられている。高い脱臭効果を必要とする夏場などに好適である。
【００３５】
更に、屋根部１２には、支台部１２２に換え、円形の台皿１２４を設けている。このような面積の広い台皿１２４とすることにより、花びらの大きな花（たとえばハス）であっても姿勢良く挿すことができる。また、台皿１２４も、円形の紙の縁を折り上げて縁が立ち上がった六角形状の台皿としてもよい。また、台皿１２４と花との間に白綿を適宜介在させ、花のすわりを向上させると共に装飾性を高めてるようにしてもよい。更に、造花を用いる場合には、茎部分を孔１２３の形状に合わせた嵌合形状に形成してもよい。
また、屋根部１２に、遺族へのメッセージを綴った短冊を張り付け故人を偲んでもよい。容器部１１の側面１１１に直接書きこめるようにしてもよい。
【産業上の利用可能性】
【００３６】
棺用葬祭具は、棺に入れるだけでなく、たとえば、盆飾りとして用いることもできる。盆飾りとして用いる場合には、仏壇や盆提灯付近に載置するなどし、側面に設けてある孔ないし窓を介して、内挿される炭により空気浄化がなされ、送り火の際の燃焼補助材としても利用できる。
【符号の説明】
【００３７】
１        棺用葬祭具
１０     筐体
１１     容器部
１２     屋根部
２０     炭袋
２１     炭チップ
２２     不織布袋
１１１  容器部の側面
１１２  底面
１１３  窓孔
１２１  屋根部の側面
１２２  支台部
１２３  孔
１２４  台皿
２２１  不織布
【図１】
2016202736.tif 000003
【図２】
2016202736.tif 000004
【図３】
2016202736.tif 000005
【図４】
2016202736.tif 000006
【図５】
2016202736.tif 000007